(57)【要約】      （修正有）【課題】従来の刺す股では暴漢にその刺す股を取り上げられたり使用するためには高度の訓練が必要である、粉の噴射では狭い室内や向い風のときは実施者にも粉がかかる恐れがある、又スプレーでは飛距離が短いため近づきすぎて危険である。そのために暴漢などの加害者に対し優位になること、逃走の際には容易に犯人を特定することを可能とする器具を提供する。【解決手段】警棒の筒体２内には刺激性及び着色性の液体９を充填するとともに、筒体の一方の開口端は、通常は栓１をしておき、また他方の端部寄りには刺激性及び着色性の液体を圧し出すため火薬室６に防水膜１３で蓋をし内蔵した火薬の燃焼を利用し膨張するエアーバッグ５を設けた。これにより命中度は格段に上がり刺激性液体で暴漢の視力を一時的に低下させて運動機能を抑制し、又逃走を図った場合には着色性塗料が付着しているので暴漢の追跡を容易にすることができる。【選択図】図１１
2006329577.tif 000002
【特許請求の範囲】
【請求項１】
筒体（２）の他方の端部寄りに内蔵された火薬室（６）に防水膜（１３）で蓋をし内蔵さ
れた火薬（２０）は、本体側面のボタンスイッチ（３）を押すことによりバッテリー
（１２）からの電気を流し火薬室（６）のフィラメント（１０）を加熱し火薬（２０）が
燃焼した圧力により内蔵のエアーバッグ（５）を膨らませ刺激性及び着色性の液体（９）
を押し出し放射する手段を有するものであるところの警棒及び刺す股などに使用可能な装
置。
【請求項２】
暴漢に対し実施者が優位に立つために刺激性及び着色性の液体（９）を暴漢にかけ視力を
低下させることにより運動機能を低下させ暴漢に対し優位に立つものであり又、逃走した
場合でも着色成分により着色されるので後の逮捕追跡にも役立つ刺激性の液体と着色性の
溶剤を混合させた、刺激性及び着色性の液体（９）。
【請求項３】
請求項２の刺激性及び着色性の液体（９）を放射するための装置を備え刺激性及び着色性
の液体（９）を充填した中空棒状の筒体（２）であり、その装置とは他方の端部寄りに内
蔵された火薬室（６）に防水膜（１３）で蓋をし内蔵された火薬（２０）は、本体側面の
ボタンスイッチ（３）を押すことによりバッテリー（１２）からの電気を流し火薬室（６）
のフィラメント（１０）を加熱し火薬（２０）が燃焼した圧力により内蔵のエアーバッグ
（５）を膨らませ刺激性及び着色性の液体（９）を押し出し放射する手段を有するもので
あるところの警棒及び刺す股などに使用可能な装置。
【請求項４】
点火装置には自動車用安全装置のエアーバッグに使用される点火装置又は、喫煙用ライタ
ーなどのの点火装置を流用することも可能である。
【発明の詳細な説明】
【技術分野】
【０００１】
中空棒状の筒体（２）に刺激性及び着色性の液体（９）を充填するとともに、筒体（２）
の一方の先端には通常は栓（１）をしておき、放射するときは栓（１）および安全ピン
（１４）を外し使用し、また他方の端部寄りには刺激性及び着色性の液体（９）を圧し押
し出し用の火薬室（６）に火薬を内蔵しバッテリー（１２）電源によりフィラメント
（１０）を加熱し防水膜（１３）で蓋をし、内蔵した火薬（２０）を燃焼させた空気の膨
張を受け膨張するエアーバッ（５）により刺激性及び着色性の液体（９）を放射する装置
を設けたもので、一般住居やマンション、会社あるいは工場、その他公共施設などの建物
内、あるいは屋外施設、さらには、街中の警備に際して警備員や警察官らが携帯して用い
るための警棒、侵入者等に対する威嚇効果、運動機能低下、逃走の際の追跡を容易にする
ことを目的とした火薬燃焼式刺激性及び着色性の液体放射装置。
【背景技術】
【０００２】
【特許文献１】特開平８−１６９４５号公報
【特許文献２】特開平５−６０４９４号公報
【特許文献３】特開平５−９９５９５号公報
【特許文献４】特開平１６−２０５０９６公報警備員や警察官らが携帯する警棒にも種々の工夫がなされており、暴漢などに対して威嚇効果を高めるために、従来は例えば金属の細筒内に、落ち難い着色剤をカプセル内に内包させた撃退弾およびその発射装置を内蔵させて、非常時に音で威嚇すると同時に暴漢等に着色剤を付着させるようにした撃退具が知られている（特許文献１参照  特開平８−１６９４５号公報）。
【０００３】
またこん棒として使用するほかに弾丸の発射も可能とした警棒（特許文献２参照  特開平
５−６０４９４号公報）や、警棒本体の握り柄の根本に嵌着される環体と、この環体から
側方への張り出し部とを有するアタッチメントを、可動構造の掛け合わせ手段及びこれに
係合する手段からなる結合装置を介するなどにより取り付けた構造の多機能化された警棒
（特許文献３参照  特開平５−９９５９５号公報）ガス圧により消化剤を放射し暴漢を威
嚇する警棒（特許文献４参照  特開平１６−２０５０９６）なども知られている。    
【発明の開示】
【発明が解決しようとする課題】
【０００４】
しかしながら、上記した（特許文献１参照  特開平８−１６９４５号公報）に記載のもの
は、音による威嚇と着色剤発射では、暴漢との距離が遠いと殆ど効果が無く、また反対に
近すぎる場合には警備員らにとってきわめて危険であり、暴漢の撃退手段として必ずしも
有効な手段ではない。 また（特許文献２参照  特開平５−６０４９４号公報）に記載のも
のは、火薬取締法等の適用対象となる武器であるために汎用性がなく、さらに（特許文献３参照  特開平５−９９５９５号公報）に記載のものも、構造があまりにも複雑で製造コ
ストが高く実用性に欠けるものといわざるを得ない。そして（特許文献４参照特開平１６
−２０５０９６公報）のものは狭い部屋の中で使用すると粉末が使用者にもかかり室内で
の、使用は実用的でない。
【０００５】
従来の暴漢に対しかける液体は目印を付ける液体は色を付けるためだけのものであるか刺
激を与えるための物は刺激物だけというどちらか一方のみの物であった。
【課題を解決するための手段】
【０００６】
警棒の筒体（２）内に刺激性及び着色性の液体（９）を充填し、これを火薬燃焼圧により
噴射できるようにする。中空棒状の筒体（２）内には刺激性及び着色性の液体を充填する
とともに、筒体（２）の一方の開口端は、通常は栓（１）をしておき、また他方の端部寄
りには刺激性及び着色性の液体（９）を圧し出し用の火薬室（６）内に経年変化を防ぐた
めの防水膜（１３）で蓋をし内蔵した火薬（２０）の燃焼を利用し膨張するエアーバッグ
（５）を設けた。これにより警棒として使用できるほかに警備中必要に応じて暴漢などに
向けて刺激性及び着色性の液体を放射して威嚇し又、視力を低下させることにより運動機
能を抑制することができる又、逃走を図った場合には着色性塗料が付着しているので暴漢の追跡を容易にすることができる。
【０００７】
中空棒状の筒体（２）内に刺激性及び着色性の液体（９）を充填するとともに、筒体（２）
の一方の先端には通常は栓（１）をしておき、放射するときは栓（１）を外し使用する、
また他方の端部寄りには刺激性及び着色性の液体（９）を圧し出し用の火薬室（６）に火
薬（２０）を防水膜（１３）で蓋をし内蔵した火薬の燃焼による空気膨張で膨張するエア
ーバッグ（５）を設けたことを特徴とする警棒である。
【０００８】
筒体（２）の他方の端部寄りに内蔵された火薬室（６）の火薬は、本体側面のボタンスイ
ッチ（３）を押すことによりバッテリー（１２）からの電気を流し火薬室（６）のフィラ
メント（１０）を加熱し火薬（２０）が燃焼した圧力により内蔵のエアーバッグ（５）を
膨らませ刺激性及び着色性の液体を押し出し放射する手段を有するものであるところの請
求項１に記載の警棒である。
【０００９】
刺激性及び着色性の液体は刺激性の溶剤と着色性の溶剤とで出来ており刺激成分は暴漢の
視力を低下させることにより運動機能を低下させ又、着色製溶剤は暴漢が逃走した際に逮
捕追跡を助ける物である。
【００１０】
火薬の燃焼膨張利用をピストンなどでなくエアーバッグ（５）を用いるようにしたのは本
体の歪み、錆などによる作動不良を避けるためのものである。
【発明の効果】
【００１１】
従来の液体放射はスプレーが主で放射距離が短く暴漢との距離が短くなり危険である、消
火薬等の粉末状のものを放射する物もあるが狭い室内などでは実施者にも粉末がかかり放
射後の活動がしにくくなる。着色剤はカプセル状になっており手で投げるか圧搾空気など
で飛ばすだけなので命中精度が低い又、当たったとしても暴漢との格闘は避けることがで
きない可能性があり危険である。本発明によれば放射距離が長く放射される液体は刺激性
があるので視力を一時的に奪うことが出来、実施者が優位に動くことが出来る。又、暴漢
が逃走を図った場合でも着色剤が付着しているので暴漢逮捕を助けることが出来る。
【００１２】
火薬の燃焼膨張を受けるエアーバッグ（５）を設けたことにより本体の歪み錆などによる
作動不良を避けることが出来た。
【００１３】
従来の暴漢に対し目印を付ける液体は色を付けるだけのものであった。又刺激を与えるためだけのものであった。本発明はその両方を混合することにより両方の効果を同時に行うことが出来る。
【発明を実施するための最良の形態】
【００１４】
本体の太さは実施者が容易に握れるほどの太さにする。又、長さは設置場所に応じた長さ
にする。強度は火薬の燃焼に耐え、警棒としての強度を持つものである。
【００１５】
本体内にフィラメントを加熱する電源としてのバッテリー（１２）、火薬に点火するため
のフィラメント（１０）火薬が経年により劣化することを防止するための蓋をした防水膜
（１３）、燃焼によりエアーバッグを膨張させるための火薬（２０）を収める火薬室（６）、
膨張することにより刺激性及び着色性の液体を圧し放出させるためのエアーバッグ（５）、
暴漢にかけることにより視力を低下させ運動能力を低下させるための刺激性及び着色性の
液体（９）を取り付けたものである。
【実施例１】
【００１６】
図６に示すように暴漢に対するときは先ず栓（１）をはずし、安全ピン（１４）を抜きス
イッチ（３）を押すと火薬（２０）が燃焼しエアーバッグ（５）が膨張し中の溶液を押し
出し図６の状態になる。
【実施例２】
【００１７】
図６及び図８に示すように暴漢に刺激性及び着色性の液体（９）をかける手段は火薬
（２０）の燃焼膨張によりエアーバッグ（５）を膨らませ刺激性及び着色性の液体（９）
を放出し暴漢に対しかけることにより暴漢に対し実施者が優位になるものである。
【実施例３】
【００１８】
図１０、図１１に示すように本発明の火薬燃焼式刺激性及び着色剤放射装置は、暴漢に対
し左右どちらかにスイングすると飛距離内であれば命中精度は大幅に拡大するものである。
【実施例４】
【００１９】
図１０，図１１に示すように暴漢に液体が掛かると視力が低下し容易に逃げることが出来
なく又、逃げたとしても着色溶剤が掛かっているので警察などの発見も早くなるものであ
る。
【実施例５】
【００２０】
図１、図２に示す材質は鉄、ステンレス、アルミ、カーボンなど、火薬燃焼、暴漢との格
闘にも耐えうるものであればよい、又、そのような形状であればよい。
【実施例６】
【００２１】
図５、図６、図７、図８、に示す火薬の点火方式は電気的な方法に限定する必要は無く瞬
時に点火燃焼を起こす装置であればよい。
【実施例７】
【００２２】
点火装置は自動車の安全装置であるエアーバッグの点火装置の流用又は，喫煙用ライターの点火装置などでも良い。
【実施例８】
【００２３】
図６はエアーバッグが膨張し刺激性及び着色性の液体が押し出され放出した図である、エ
アーバッグの大きさは本体のサイズに適応した本体内容積とほぼ同じ容積であればよい。
【実施例９】
【００２４】
図５に示す刺激性及び着色性の液体の刺激性物質は人体に刺激を与えるのみで、ケロイド、
死亡などの後遺障害としてのハンディーを与えるものでなければ胡椒液、酢など何でもよ
い又、着色溶剤もケロイド、死亡などの後遺障害としてのハンディーを与えるものでなけ
れば染料、顔料、合成樹脂塗料など何でもよい。
【図面の簡単な説明】
【００２５】
【図１】スイッチ側から見た全体外観図。
【図２】栓を外しスイッチ側から見た全体外観図。
【図３】図１を横から見た全体外観図。
【図４】図２を横から見た全体外観図。
【図５】操作前本体の断面図。
【図６】操作後本体の断面図。
【図７】操作前本体の後部拡大断面図。
【図８】操作後本体の後部拡大断面図。
【図９】安全ピンの図。
【図１０】犯人に向け放射したものを横から見た図。
【図１１】犯人に向け放射したものを上から見た図。
【符号の説明】
【００２６】
１    栓
２    筒体
３    スイッチ
４    噴射口
５    エアーバッグ
６    火薬室
７    栓取り付けネジ
８    スイッチ弁
９    刺激性及び着色性の液体
１０  フィラメント
１１  後部キャップ
１２  バッテリー
１３  防水膜
１４  安全ピン
１５  バッテリー圧着バネ
１６  絶縁性火薬室栓及びフィラメント支持部
１７  バッテリー室及びスイッチ室一体構造物
１８  実施者
１９  暴漢
２０  火薬
【図１】
2006329577.tif 000003
【図２】
2006329577.tif 000004
【図３】
2006329577.tif 000005
【図４】
2006329577.tif 000006
【図５】
2006329577.tif 000007
【図６】
2006329577.tif 000008
【図７】
2006329577.tif 000009
【図８】
2006329577.tif 000010
【図９】
2006329577.tif 000011
【図１０】
2006329577.tif 000012
【図１１】
2006329577.tif 000013